(57)【特許請求の範囲】
【請求項１】
ＵＶ接着剤を塗布された接近する２つの接続面にＵＶ光線を照射してＵＶ接着剤を乾燥・固化させる光部品接続用ＵＶ照射装置であって、前記ＵＶ光線を照射するＵＶ光線照射ヘッドと、前記接続面の位置に位置決め可能な移動機構に取り付けられた固定ホルダと、前記ＵＶ光線照射ヘッドをクランプすると共に前記固定ホルダに旋回可能に取り付けられた旋回ホルダと、この旋回ホルダを常時一方へ旋回すべく付勢する付勢手段と、この付勢手段により旋回される旋回ホルダの旋回角度を設定する旋回ストッパと、前記旋回ホルダを前記付勢手段に抗して旋回させて前記ＵＶ光線照射ヘッドを所定の方向に向けるべく固定ホルダに設けられたアクチュエータと、を備え、
前記旋回ストッパは、前記固定ホルダが前記接続面の位置に位置決めされた状態にあるとき、前記ＵＶ光線照射ヘッドを前記２つの接続面のうちの一方に向けるべく前記旋回ホルダの旋回角度を設定し、
前記アクチュエータは、同じく前記固定ホルダが前記接続面の位置に位置決めされた状態にあるとき、前記ＵＶ光線照射ヘッドを前記２つの接続面のうちの他方に向けるべく前記旋回ホルダを旋回させるように構成されていること、
を特徴とする光部品接続用ＵＶ照射装置。
【請求項２】
前記旋回ストッパが、マイクロメータのスピンドル繰り出し機構を用いて位置調整可能に構成されていること、を特徴とする請求項１に記載の光部品接続用ＵＶ照射装置。
【発明の詳細な説明】
【０００１】
【発明の属する技術分野】
この発明は、光部品を接続する際に使用するＵＶ光線固化型の接着剤を固化させるために、接続部にＵＶ光線を照射する光部品接続用ＵＶ照射装置に関するものである。
【０００２】
【従来の技術】
従来より、光部品を接続するための接続装置としては、例えば特開平９−１２７３６４号公報に記載されているものがある。
【０００３】
図４を参照するに、このような接続装置１０１では、架台１０３の上面における左側に調心用の第一ステージ１０５Ｆが設けられ、右側に第一ステージ１０５Ｆと同様の第二ステージ１０５Ｓが設けられており、その間に光部品１０７を固定する固定光部品ホルダ１０９が設けられている。
【０００４】
第一ステージ１０５Ｆおよび第二ステージ１０５Ｓでは、Ｘ軸、Ｙ軸、Ｚ軸方向に移動・位置決め自在且つＣ軸方向に回転自在に境界面合せ機構１１１Ｆ、１１１Ｓが設けられており、各々前記光部品１０７に接続する入力光ファイバ部品１１３と出力光ファイバ部品１１５を対向して保持するようになっている。
【０００５】
一方、図４中架台１０３の上面の上側中央にはＷ軸移動機構１１７が設けられており、このＷ軸移動機構１１７にはスライダ１１９がＷ軸方向（図４中左右方向）に移動・位置決め自在に設けられている。このスライダ１１９には左右の支持機構１２１Ｌ、１２１Ｒが設けられており、左側の支持機構１２１Ｌの先端には、光部品１０７と入力光ファイバ部品１１３および出力光ファイバ部品１１５との接続面にＵＶ接着剤を塗布するディスペンサノズル１２３が装着されている。
【０００６】
また、右側の支持機構１２１Ｒの先端には、前述のディスペンサノズル１２３により接続面に塗布されたＵＶ接着剤を乾燥・固化させるためのＵＶ照射装置１２５が装着されている。
【０００７】
上記構成により、このような接続装置１０１においては、第一ステージ１０５Ｆおよび第二ステージ１０５Ｓの境界面合せ機構１１１Ｆ、１１１Ｓにより、それぞれ入力光ファイバ部品１１３と出力光ファイバ部品１１５を支持し、光部品１０７に対して面合せおよび光軸合せを行う。
【０００８】
そして、各接続面にディスペンサノズル１２３によりＵＶ光線固化型のＵＶ接着剤を滴下し、その後ＵＶ照射装置１２５により接続面のＵＶ接着剤にＵＶ光線を照射してＵＶ接着剤を乾燥・固化し、光部品１０７に入力光ファイバ部品１１３および出力光ファイバ部品１１５を接続するものである。
【０００９】
【発明が解決しようとする課題】
しかしながら、前述のような光部品の接続装置１０１に使用されているＵＶ照射装置１２５は、光部品１０７の寸法が数十ｍｍと比較的大きいこと、および接着剤の固化時間を短縮するために、ＵＶ照射装置１２５を２箇所の接続箇所にそれぞれ対応させて合計２台設けている。そして、接続対象の光部品１０７の寸法が変化した場合には、２つのＵＶ照射装置１２５の設置位置を光部品の寸法に合わせて変更するのが一般的である。
【００１０】
ところが、光部品１０７の寸法が小さく、接続箇所が接近している場合には、２つのＵＶ照射装置１２５を設けるスペースがなく１つのＵＶ照射装置１２５で順次固化させるほうが好ましい場合がある。
【００１１】
この発明の目的は、以上のような従来の技術に着目してなされたものであり、小さなスペースを設けて光部品を接続する２箇所の接続面のＵＶ接着剤にＵＶ光線を照射することのできる光部品接続用ＵＶ照射装置を提供することにある。
【００１２】
【課題を解決するための手段】
上記の目的を達成するために、請求項１による発明の光部品接続用ＵＶ照射装置は、ＵＶ接着剤を塗布された接近する２つの接続面にＵＶ光線を照射してＵＶ接着剤を乾燥・固化させる光部品接続用ＵＶ照射装置であって、前記ＵＶ光線を照射するＵＶ光線照射ヘッドと、前記接続面の位置に位置決め可能な移動機構に取り付けられた固定ホルダと、前記ＵＶ光線照射ヘッドをクランプすると共に前記固定ホルダに旋回可能に取り付けられた旋回ホルダと、この旋回ホルダを常時一方へ旋回すべく付勢する付勢手段と、この付勢手段により旋回される旋回ホルダの旋回角度を設定する旋回ストッパと、前記旋回ホルダを前記付勢手段に抗して旋回させて前記ＵＶ光線照射ヘッドを所定の方向に向けるべく固定ホルダに設けられたアクチュエータと、を備え、
前記旋回ストッパは、前記固定ホルダが前記接続面の位置に位置決めされた状態にあるとき、前記ＵＶ光線照射ヘッドを前記２つの接続面のうちの一方に向けるべく前記旋回ホルダの旋回角度を設定し、
前記アクチュエータは、同じく前記固定ホルダが前記接続面の位置に位置決めされた状態にあるとき、前記ＵＶ光線照射ヘッドを前記２つの接続面のうちの他方に向けるべく前記旋回ホルダを旋回させるように構成されていること、
を特徴とするものである。
【００１３】
従って、ＵＶ接着剤が塗布された接近する２つの接続面にＵＶ光線を照射してこれを乾燥・固化させ光部品の接続を行う際に、固定ホルダに対して旋回自在に設けられている旋回ホルダをアクチュエータにより旋回させた状態でこの旋回ホルダに取り付けられているＵＶ光線照射ヘッドの向きを一方の接続面に合わせるように移動機構を移動させると共に、付勢手段により旋回ホルダを旋回させた状態でＵＶ光線照射ヘッドが他方の接続面に向くように旋回ストッパにより旋回ホルダの旋回角度を設定する。そして、アクチュエータまたは付勢手段の一方により旋回ホルダを旋回させてＵＶ光線照射ヘッドから照射されるＵＶ光線を一方の接続面に当ててＵＶ接着剤を乾燥・固化させ、その後、アクチュエータまたは付勢手段の他方により旋回ホルダを旋回させてＵＶ光線照射ヘッドから照射されるＵＶ光線を他方の接続面に当ててＵＶ接着剤を乾燥・固化させる。
【００１４】
請求項２による発明の光部品接続用ＵＶ照射装置は、請求項１に記載の光部品接続用ＵＶ照射装置において、前記旋回ストッパが、マイクロメータのスピンドル繰り出し機構を用いて位置調整可能に構成されていること、を特徴とするものである。
【００１５】
従って、旋回ホルダは、マイクロメータのスピンドル繰り出し機構により微細に正確に設定された旋回ストッパに当接して旋回が制限され、所定の角度に位置決めされる。
【００１６】
【発明の実施の形態】
以下、この発明の実施の形態を図面に基づいて詳細に説明する。
【００１７】
図１には、この発明に係る光部品接続用ＵＶ照射装置１の要部が示されている。ここで、このＵＶ照射装置１を用いる接続装置１０１（図４参照）については、すでに従来の技術の欄において述ベたものと同様なので、共通する部位には同じ符号を用いて重複する説明は省略することとし、ＵＶ照射装置１のみについて説明する。
【００１８】
このＵＶ照射装置１では、例えば前述した接続装置１０１におけるＷ軸移動機構１１７に設けられている右側の支持機構１２１Ｒ（図４参照）の先端に固定ホルダ３が取り付けられている。
【００１９】
この固定ホルダ３には、旋回支点５を介して旋回ホルダ７が旋回自在に取り付けられており、付勢手段としての一例の例えばスプリングプランジャー９により常時図２（Ｂ）において反時計方向へ旋回するように付勢されている。
【００２０】
旋回ホルダ７はＵＶ接着剤を固化させるためのＵＶ光線を導くＵＶ光線ガイドヘッド１１をクランプしており、旋回ホルダ７の下面から若干突出してＵＶ光線を照射するＵＶ光線照射ヘッド１３が設けられている。
【００２１】
前記固定ホルダ３の前面（図１中右手前側面）には、アクチュエータの一例として例えばエアーシリンダ１５が固定ホルダ３の前面に対して垂直方向に設けられており、ピストンロッド１７により旋回ホルダ７を押して、旋回ホルダ７を図２（Ａ）中時計方向に旋回させる。このとき、旋回ホルダ７の図２（Ａ）において上部右側面が固定ホルダ３に当接した位置で停止する（図３（Ａ）の状態）。
【００２２】
また、固定ホルダ３の前面における前記旋回支点５に対してスプリングプランジャー９と上下反対位置には、旋回ストッパの一例としてのマイクロメータのスピンドル繰り出し機構（以下、マイクロメータ繰り出し機構という）１９が前記エアーシリンダ１５と平行に設けられており、マイクロメータ繰り出し機構１９を回転させてスプリングプランジャー９の付勢力により旋回可能な旋回ホルダ７の旋回角度を設定する。
【００２３】
次に、前述のＵＶ照射装置１によりＵＶ光線を照射する動作を説明する。
【００２４】
図４を参照するに、前述のＷ軸移動機構１１７を移動させてディスペンサノズル１２３から光部品１０７と光ファイバ部品１１３、１１５の接続面にＵＶ接着剤を滴下した後、Ｗ軸移動機構１１７を移動させてＵＶ照射装置１をＵＶ照射位置Ａの真上に位置決めし、エアーシリンダ１５で旋回ホルダ７を旋回させた状態でＵＶ光線がＵＶ照射位置Ａに照射されるようにする（図３（Ａ）、（Ｂ）参照）。
【００２５】
そして、図２（Ａ）（Ｂ）を参照するに、エアーシリンダ１５を作動させない状態で、スプリングプランジャー９の付勢力により旋回ホルダ７が反時計方向に旋回され、マイクロメータ繰り出し機構１９により設定された量だけ旋回するので、このときＵＶ光線がＵＶ照射位置Ｂに照射されるようにマイクロメータ繰り出し機構１９を設定する。
【００２６】
すなわち、光部品１０７の大きさが変化するとＵＶ照射位置ＡとＵＶ照射位置Ｂとの距離が変化するので、マイクロメータ繰り出し機構１９を回して旋回ホルダ７の旋回角度をθ１に設定する。ここで、tanθ１＝Ｌ／Ｈである。なお、Ｌ は光ファイバ部品１１３と光ファイバ部品１１５との距離、Ｈは旋回支点５から光ファイバ部品１１３の下面までの高さである。
【００２７】
以上のようにしてＵＶ照射装置１の位置決めおよびマイクロメータ繰り出し機構１９の設定が完了したら、エアーシリンダ１５のピストンロッド１７を引っ込めた状態でＵＶ照射位置ＢにＵＶ光線を照射し（図２（Ａ）（Ｂ）参照）、その後エアーシリンダ１５を作動させて旋回ホルダ７を旋回させ、ＵＶ照射位置ＡにＵＶ光線を照射する（図３（Ａ）（Ｂ）参照）。
【００２８】
あるいは、先にエアーシリンダ１５を作動させて旋回ホルダ７を旋回させＵＶ照射位置ＡにＵＶ光線を照射した後に、ピストンロッド１７を引っ込めてスプリングプランジャー９の付勢力により旋回ホルダ７を旋回させてＵＶ照射位置ＢにＵＶ光線を照射するようにしてもよい。
【００２９】
以上の結果から、一台のＵＶ照射装置１により光部品１０７の両側の接続面にＵＶ光線を照射するので、光部品１０７の寸法が小さい場合でも容易且つ確実にＵＶ光線を照射することができる。
【００３０】
また、ＵＶ光線照射ヘッド１３を保持している旋回ホルダ７の旋回角度をマイクロメータ繰り出し機構１９により設定しているので、確実に所望の角度だけ回転させることができ、確実にＵＶ光線をＵＶ照射位置に照射することができる。
【００３１】
なお、この発明は前述の発明の実施の形態に限定されることなく、適宜な変更を行うことにより、その他の態様で実施し得るものである。すなわち、前述の発明の実施の形態においては、アクチュエータとしてエアーシリンダ１５を使用したが、手動でネジ部材を回転させて旋回ホルダ７を旋回させるようにしても同様の作用・効果を得ることができる。
【００３２】
また、前述の発明の実施の形態においては、エアーシリンダ１５により旋回ホルダ７を旋回させた状態でＵＶ光線が真下に照射され、スプリングプランジャー９の付勢手段により旋回ホルダ７を旋回させた状態でＵＶ光線が所定の角度で照射されるようにしたが、逆にしてもよく、また、両照射位置で逆方向に等しい角度傾斜するようにしてもよい。
【００３３】
また、光部品１０７の大きさとマイクロメータ繰り出し機構１９の目盛りとの関係を予め一覧表として作製しておくと、ＵＶ光線の照射を行う際に、作業を効率よく、確実に行うことができる。
【００３４】
【発明の効果】
以上説明したように、請求項１の発明による光部品接続用ＵＶ照射装置では、ＵＶ接着剤が塗布された接近する２つの接続面にＵＶ光線を照射してこれを乾燥・固化させて光部品の接続を行う際に、旋回ホルダをアクチュエータにより旋回させた状態でＵＶ光線ヘッドの向きを一方の接続面に合わせるように移動機構を移動させ、付勢手段により旋回ホルダを旋回させた状態でＵＶ光線照射ヘッドが他方の接続面に向くように旋回ストッパを設定した後に各旋回限度角度においてＵＶ光線を照射するので、ＵＶ光線を近接する２つの接続面に確実に照射することができる。これにより、小さな光部品の接続を効率よく確実に行うことができる。
【００３５】
請求項２の発明による光部品接続用ＵＶ照射装置では、旋回ホルダは、マイクロメータ繰り出し機構により微細に正確に設定される旋回ストッパに当接して旋回が制限されるので、付勢手段により旋回ホルダを旋回させると、確実に所定角度だけ旋回ホルダが旋回して接続面にＵＶ光線を照射することができる。
【図面の簡単な説明】
【図１】この発明に係る光部品接続用ＵＶ照射装置を示す斜視図である。
【図２】（Ａ）はエアーシリンダが作動していない時の旋回ホルダの状態を示すエアーシリンダ位置における断面図であり、（Ｂ）は同じくマイクロメータ繰り出し機構位置における断面図である。
【図３】（Ａ）はエアーシリンダにより旋回した後の旋回ホルダの状態を示すエアーシリンダ位置における断面図であり、（Ｂ）は同じくマイクロメータ繰り出し機構位置における断面図であである。
【図４】従来より知られている光部品接続装置を示す平面図である。
【符号の説明】
１  光部品接続用ＵＶ照射装置
３  固定ホルダ
７  旋回ホルダ
９  スプリングプランジャー（付勢手段）
１３  ＵＶ光線照射ヘッド
１５  エアーシリンダ（アクチュエータ）
１９  マイクロメータのスピンドル繰り出し機構（旋回ストッパ）
【図１】
0003569160.tif 000002
【図２】
0003569160.tif 000003
【図３】
0003569160.tif 000004
【図４】
0003569160.tif 000005